(57)【要約】【課題】複雑な形状のレンズを用いる必要がなく，また，複数の補正レンズの形状を同一にした場合であっても，前記ビーム光のボウを取り除くことが可能な走査光学装置を提供すること。【解決手段】ポリゴンミラー１の回転軸１ａに直交する断面Ｋに対して２°以内の角度でビーム光Ｌを入射する。このような入射角度条件が満たされる場合，走査レンズ９の副走査断面の形状を球面形状とし，また，主走査方向の位置によって入射面９ａ及び出射面９ｂの副走査断面における曲率を，前記主走査方向における予め定められた中央位置からの距離に対して単調変化させる。【選択図】図４
2007155803.tif 000002
【特許請求の範囲】
【請求項１】
ビーム光を出射する光源と，所定の副走査方向に沿う回転軸周りに回転し，前記光源から出射された前記ビーム光を反射して所定の走査面上における走査光に変換する回転多面鏡と，前記回転多面鏡と前記走査面との間の前記ビーム光の光路上に設けられたレンズ系と，を具備する走査光学装置であって，
前記レンズ系が，
前記ビーム光の走査方向であり前記副走査方向に交差する主走査方向において，予め定められた中央位置からの距離に対して前記ビーム光の入射面及び／若しくは出射面の前記副走査方向の断面における曲率が単調に変化する曲率変化レンズを具備してなることを特徴とする走査光学装置。
【請求項２】
前記曲率変化レンズにおける曲率の変化が，前記主走査方向における前記中央位置からの距離に対する２次若しくはそれより高次の変化である請求項１に記載の走査光学装置。
【請求項３】
前記光源から出射された前記ビーム光が前記副走査方向に直交する断面に対して±２°までの角度で前記回転多面鏡に入射するものである請求項１又は２のいずれかに記載の走査光学装置。
【請求項４】
前記光源を複数具備してなる請求項１〜３のいずれかに記載の走査光学装置。
【請求項５】
前記曲率変化レンズが，前記副走査方向に対して負の屈折力を有する請求項１〜４のいずれかに記載の走査光学装置。
【発明の詳細な説明】
【技術分野】
【０００１】
本発明は，光源から出射された光を所定の面上で走査させる走査光学装置に関するものである。
【背景技術】
【０００２】
例えばプリンタ，複写機，ファクシミリ装置等の画像形成装置では，静電潜像を像担持体（以下，感光体ドラム）上に書き込むために，前記静電潜像書き込み用のビーム光を前記感光体ドラム上で走査させる走査光学装置が用いられている。
前記走査光学装置では，前記ビーム光を走査光に変換するためにポリゴンミラー（回転多面鏡）等の偏光器が用いられる。光源からのビーム光は前記偏光器の表面上で収束され，またレンズ（いわゆるｆθレンズ）により前記感光体ドラム上で再び収束される。つまり，前記ビーム光は前記偏光器の表面と前記感光体ドラムとに関して共役にされ，これにより前記偏光器の面倒れが補正される。
【０００３】
ところで，近年，フルカラーでの印字機能を有する画像形成装置として，複数の感光体ドラム各々上で各種類（色）のトナー（現像剤）による像を形成し，それらを中間転写部で重ね合わせることによりフルカラーの像を形成する，いわゆるタンデム方式の画像形成装置が用いられている。
このような，タンデム式の画像形成装置などでは，複数の感光体ドラムに対して同時に前記静電潜像を書き込むために，前記感光体ドラム各々に対応する複数の光源が用いられる。その複数の光源各々から出射された前記ビーム光は一括して前記感光体ドラムにより反射され，走査光に変換される。ここで，前記ビーム光各々をそれらに対応する感光体ドラムに導くために，前記ポリゴンミラーにより反射された後の前記ビーム光各々の分離を行う必要がある。
図３に示されるように前記ビーム光Ｌ各々の分離は，典型的には前記ポリゴンミラー１の回転軸１ａ方向（副走査方向）に直交する断面Ｋに対して，前記ビーム光Ｌ各々が入射する入射角度に角度差をつけることにより実行される。従って，前記ビーム光Ｌを分離する必要がある場合，しばしば前記ビーム光Ｌは前記ポリゴンミラー１によるミラー面（より厳密には，前記ポリゴンミラー１の回転軸１ａ）に対して直交せずに傾いた状態で入射する。
尚，以下では，前記ポリゴンミラー１による前記ビーム光Ｌの走査方向（図３の奥行き方向）を主走査方向という。また，前記主走査方向に直交する方向を副走査方向という。この副走査方向は，前記ポリゴンミラー１の回転軸１ａに沿う方向であり，図３の上下方向である。
【０００４】
ところが，前記ビーム光Ｌが傾いて前記ポリゴンミラー１に入射すると，以下のような問題が生じる。
図５は，前記ビーム光Ｌが前記ポリゴンミラー１に対して傾いて入射した場合に生じる問題点を説明する概念図である。以下，図５を参照しつつ，前記ビーム光Ｌが前記ポリゴンミラー１に対して傾いて入射した場合の問題点について詳述する。
図５（ａ）に示されるように，その回転軸１ａ周りの回転に伴って，前記ポリゴンミラー１の反射面が前記ポリゴンミラー１の径方向に出入りする。そのような反射面の出入りに伴って前記ビーム光Ｌの入射位置も前記ポリゴンミラー１の径方向に出入りし，例えばΔＸ分の出入りが生じる。
一方，図５（ｂ）に示されるように，前記ビーム光Ｌが前記ポリゴンミラー１の反射面に対して傾いて入射する場合，前記ビーム光Ｌの入射位置の出入りにより，前記ビーム光Ｌが前記ポリゴンミラー１により反射される前記回転軸１ａ方向（副走査方向）の位置も変化し，図５（ｂ）のように例えばΔＹ分の変化が生じる。
ここで，前記ビーム光Ｌの前記ポリゴンミラー１に対する前記回転軸１ａ方向（副走査方向）の入射位置変化は，前記感光体ドラムに対する前記ビーム光Ｌの副走査方向における入射位置変化と全く同義であり，図５（ｃ）の実線に示されるように，前記感光体ドラム２上における前記ビーム光Ｌの走査路が湾曲してしまう。もちろん，理想的には前記ビーム光Ｌの走査路は，図５（ｃ）の破線に示されるように前記主走査方向に沿って直線状になるべきである。このような走査路の湾曲はボウと呼ばれている。
ボウは，形成される画像を歪める原因になるので，画像の品質を保つためには，例えば前記ポリゴンミラー１と前記感光体ドラム２との間に配置された光学系（レンズ等）でボウを取り除かなければならない。
【特許文献１】特開平２００３−１４９５７３号公報
【発明の開示】
【発明が解決しようとする課題】
【０００５】
そこで，特許文献１には上述したようなボウを取り除く方法が示されている。即ち，特許文献１に記載の方法は，ポリゴンミラーと感光体ドラムとの間に，ビーム光が走査される走査方向及びそれに直交する副走査方向の断面形状が，前記ビーム光の光軸からの前記主走査方向の距離の関数として独立に定義されるアナモフィック非球面形状に形成された走査レンズ，及び前記副走査方向の断面の傾きが前記主走査方向の位置により変化する断面形状に形成された補正レンズを配置するものである。
しかし，アナモフィック非球面形状のレンズのような，複雑なレンズを製造するには，複雑な金型加工を施す必要があり，一般には非常に困難である。また，図３のように複数のビーム光Ｌを用いるマルチビーム側の画像形成装置において，通常前記補正レンズは前記ビーム光Ｌ各々に対して１つづつ割り当てられるものである。従って，特許文献１のように前記補正レンズの形状を用いてボウを除去する場合，複数の補正レンズ各々の形状を異ならせる必要があり，前記補正レンズを製造するための金型の数が増加してしまうという問題点がある。
従って，本発明は上記事情に鑑みてなされたものであり，その目的とするところは，複雑な形状のレンズを用いる必要がなく，また，複数の補正レンズの形状を同一にした場合であっても，前記ビーム光のボウを取り除くことが可能な走査光学装置を提供することにある。
【課題を解決するための手段】
【０００６】
上記目的を達成するために本発明は，光源から出射されたビーム光を，回転多面鏡の副走査方向に沿う回転軸周りに回転しつつ反射し，前記ビーム光を所定の走査面上における走査光に変換する回転多面鏡を具備する走査光学装置であって，前記ビーム光の走査方向であり前記副走査方向に交差する主走査方向において，予め定められた中央位置からの距離に対して前記ビーム光の入射面及び／若しくは出射面の前記副走査方向の断面における曲率が単調に変化する曲率変化レンズを具備してなることを特徴とする走査光学装置である。
本発明のように，主走査方向に対して前記ビームの入射面及び／若しくは出射面の曲率が変化するというだけの単純な（従って，金型加工が簡単な）形状である曲率変化レンズを用いることでも，前記ビーム光の走査路の湾曲，つまりボウという）を取り除くことができる。いいかえると，前記ビーム光の走査路を直線状に保つことが可能である。
例えば，当該走査光学装置を画像形成装置に適用した場合，前記ビーム光を感光体ドラム表面において直線状に走査させることが可能となり，歪みのない良好な静電潜像を形成することができる。
【０００７】
ここで，具体的な前記曲率変化レンズにおける曲率の変化が，前記主走査方向における前記中央位置からの距離に対する２次若しくはそれより高次の変化である場合に，良好に前記ビーム光のボウが除去可能であることがわかっている。また，前記光源から出射された前記ビーム光が前記副走査方向に直交する断面に対して±２°までの角度で前記回転多面鏡に入射することが，本発明の効果を得る上で重要である。
更に，本発明は，複数の光源を具備するマルチビーム対応の走査光学装置にも適用可能である。
マルチビーム対応の場合，複数のビーム光を各々対応する感光体ドラムに導くために，副走査方向に対するビーム光の分離（感光体ドラムへの入射角度を各色毎に変化させること）を行わねばならないが，複数のビーム光の入射角度を±２°までに保つ場合には，そのようなビーム光の分離が困難となる。そこで，前記曲率変化レンズが前記副走査方向に負の屈折力を有するものとすると，±２°以内という浅い角度差で入射した前記ビーム光でもその角度差が拡大されるので，前記ビーム光各々を前記副走査方向に分離することが可能である。
【発明の効果】
【０００８】
本発明によれば，ビーム光のポリゴンミラーに対する入射角度が２°以内である場合，主走査方向に対して曲率が単調変化するというだけの単純な（従って，金型加工が簡単な）形状の曲率変化レンズを用いることで，前記ビーム光の走査路の湾曲，つまりボウを取り除くことができる。言い換えると，前記ビーム光の走査路を直線状に保つことが可能である。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る走査光学装置を具備する画像形成装置の概略断面図，図２は本発明の一実施形態に係る走査光学装置の主走査断面図，図３は本発明の一実施形態に係る走査光学装置のポリゴンミラー付近における副走査断面図，図４は本発明の一実施形態に係る走査光学装置によるボウの除去を説明する概念図，図５はビーム光がポリゴンミラーに対して傾いて入射した場合に生じる問題点（ボウの発生）を説明する概念図，図６は感光体ドラムに対するビーム光の到達点を表す平面図である。
【００１０】
（１）本発明の一実施形態に係る走査光学装置Ｘ１を具備するプリンタＡの概略構成について。
以下，図１を参照しつつ，本発明の一実施形態に係る走査光学装置Ｘ１を具備するプリンタＡについて説明する。
図１に示されるプリンタＡは，トナー像を形成し，印刷用紙に印字を行う印字部α１，前記印刷用紙を前記印字部α１に供給する給紙部α２，印字の行われた前記印刷用紙を排紙する排紙部α３を有する。不図示の外部入力インターフェースを通じて，前記プリンタＡに接続された外部機器（典型的にはパーソナルコンピュータ）から印字要求を表す所定の印字要求信号及び画像情報を表す画像情報信号が入力される。不図示の画像処理制御装置により，該画像情報信号に基づいて前記画像情報が読み取られ，ブラック（ＢＫ），マゼンダ（Ｍ），イエロー（Ｙ），シアン（Ｃ）の４色各々に対する濃淡値情報に変換される。
【００１１】
前記印字部α１は，上記４色各々に対応する感光体ドラム２ＢＫ，２Ｍ，２Ｙ，２Ｃ，本発明の一実施形態に係る走査光学装置Ｘ１，各色に対応する現像装置３ＢＫ，３Ｍ，３Ｙ，３Ｃ，中間転写ベルト４，各種のローラ５，定着装置６等を有して概略構成される。
前記画像処理制御装置は，前記濃淡値情報に基づいて，ブラック（ＢＫ），マゼンダ（Ｍ），イエロー（Ｙ），シアン（Ｃ）の４色に対応した感光体ドラム２（ブラック用感光体ドラム２ＢＫ，マゼンダ用感光体ドラム２Ｍ，イエロー用感光体ドラム２Ｙ，シアン用感光体ドラム２Ｃ）各々に光を照射する４つの光源７（図２参照，ブラック用光源７ＢＫ，マゼンダ用光源７Ｍ，イエロー用光源７Ｙ，シアン用光源７Ｃ）を制御し，ビーム光Ｌを照射させる。
前記ビーム光Ｌは，詳しくは後述するように，複数の偏向ミラー８，ポリゴンミラー１（回転多面鏡），各種のレンズ９，１０等を有する走査光学装置Ｘ１により，上述の各感光体ドラム２に誘導され，これにより，前記感光体ドラム２各々の表面には静電潜像が形成される。
また，前記感光体ドラム２各々に対応する現像装置３（ブラック用現像装置３ＢＫ，マゼンダ用現像装置３Ｍ，イエロー用現像装置３Ｙ，シアン用現像装置３Ｃ）に設けられた現像ローラ上のトナーが，前記感光体ドラム２の面上に引き寄せられ，前記静電潜像は前記トナーにより，前記感光体ドラム２各々と前記現像ローラ各々との電位ギャップ（現像バイアス）に応じてトナー像として顕像化される。
【００１２】
前記給紙部α２は，給紙カセット１１，給紙ローラ１２等を有して概略構成される。前記給紙カセット１１には，予め印刷用紙が載置されている。ユーザによる印字要求（例えば，前記プリンタＡの外装に設けられた操作パネルによる操作入力）に基づいて，前記画像処理制御部の制御により前記給紙ローラ１２が回転駆動され，これにより前記給紙カセット１１に載置されている前記印刷用紙が，前記印字部α１に搬送される。
前記給紙部α２からの前記印刷用紙は，搬送ローラ５ｃにより搬送される。また，印刷用紙は前記レジストローラ５ｂにおいて適宜の期間待機状態にされる。これにより，前記印刷用紙が前記中間転写ベルト４と二次転写ローラ５ａとのニップ部に到達するタイミングが調節される。一方，前記感光体ドラム２各々上で形成された前記トナー像は，前記中間転写ベルト４に転写され，その中間転写ベルト４の駆動により，前記中間転写ベルト４と二次転写ローラ５ａとのニップ部を通過する前記印刷用紙に転写される。そして，前記トナー像が転写された前記印刷用紙は前記定着装置６に搬送され，例えば熱ローラ等により前記トナー像が前記印刷用紙に定着される。前記トナー像が定着された前記印刷用紙は，前記排紙部α３に搬送され，排紙される。
【００１３】
（２）本発明の一実施形態に係る走査光学装置Ｘ１の概略構成について。
前記走査光学装置Ｘ１は，前記光源７ＢＫ，７Ｍ，７Ｙ，７Ｃによる静電潜像書き込み用の前記ビーム光Ｌを，前記感光体ドラム２ＢＫ，２Ｍ，２Ｙ，２Ｃ各々に誘導するものである。
図２は本発明の一実施形態に係る走査光学装置Ｘ１の主走査断面図である。以下，図１及び図２を参照しつつ，前記走査光学装置Ｘ１について説明する。尚，上述のように前記走査光学装置Ｘ１はタンデム式のプリンタＡに対応したものであり，即ち４つの感光体ドラム２ＢＫ，２Ｍ，２Ｙ，２Ｃ各々に対してビーム光Ｌを導く光路が形成されてものである。しかし，図２においては，簡単のために仮想的に４つの光路のうち１つの光路のみを示すものとする。
前記走査光学装置Ｘ１は，上述の４色各々に対応する光源７（前記ブラック用光源７ＢＫ，前記マゼンダ用光源７Ｍ，前記イエロー用光源７Ｙ及び前記シアン用光源７Ｃ），前記４色各々に対応するコリメータレンズ１３（ブラック用コリメータレンズ１３ＢＫ，マゼンダ用コリメータレンズ１３Ｍ，イエロー用コリメータレンズ１３Ｙ，シアン用コリメータレンズ１３Ｃ），アパーチャ１４，シリンドリカルレンズ１５，ポリゴンミラー１（回転多面鏡），前記４色に共通の走査レンズ９，前記４色各々に対応する補正レンズ１０（ブラック用補正レンズ１０ＢＫ，マゼンダ用補正レンズ１０Ｍ，イエロー用補正レンズ１０Ｙ，シアン用補正レンズ１０Ｃ）などを有している。前記走査光学装置Ｘ１は，図１に示されるような前記４色各々に対応する１又は複数の偏向ミラー８（前記ブラック用の偏向ミラー８ＢＫ１，前記マゼンダ用の偏向ミラー８Ｍ１，８Ｍ２，８Ｍ３，前記イエロー用の偏向ミラー８Ｙ１，８Ｙ２，及び前記シアン用の偏向ミラー８Ｃ１，８Ｃ２）等も有するものではあるが，図２には示されていない。
【００１４】
前記光源７から出射されたビーム光Ｌ各々は，前記コリメータレンズ１３を通過することにより平行光（進行方向に対して径変化のない光）に変換される。また，前記ビーム光Ｌ各々は前記アパーチャ１４を通過することにより整形される。更に，前記ビーム光Ｌ各々は前記シリンドリカルレンズ１５を通過し，そのシリンドリカルレンズ１５の集光作用により，前記ポリゴンミラー１の表面付近で収束する。前記ポリゴンミラー１（回転多面鏡）は，副走査方向に沿った回転軸１ａを中心に回転しており，これにより前記ビーム光Ｌ各々は，対応する各前記感光体ドラム２の表面（走査面）を走査する走査光に変換される。
前記ポリゴンミラー１により反射されて走査する前記ビーム光Ｌ各々は，複数のビーム光Ｌ各々に対して共通の走査レンズ９に入射する。
前記走査レンズ９を通過後の前記ビーム光Ｌ各々は徐々に分離され，前記ビーム光Ｌ各々に一対一対応して設けられた補正レンズ１０を通過し，対応する前記感光体ドラム２各々上を走査する。
【００１５】
（３）本発明の一実施形態に係る走査光学装置Ｘ１の具備する走査レンズ９（曲率変化レンズ）によるボウの除去について。
図３は，前記走査光学装置Ｘ１の前記副走査方向における前記ポリゴンミラー１付近の断面図である。
上述したように，前記走査光学装置Ｘ１は複数色各々に対応する複数の光源７を有する。前記複数の光源７からのビーム光Ｌ各々は，図３に示されるように，前記回転軸１ａ方向（前記副走査方向）に直交する断面Ｋに対して，前記ビーム光Ｌ各々が入射する入射角度に角度差が設けられている。また，前記断面Ｋに対する最も急な角度で入射する前記ビーム光Ｌは，前記断面Ｋと２°の角度差が設けられている。つまり，４本のビーム光Ｌは全て前記断面Ｋに対して２°以内の角度で入射する。
【００１６】
図５に示される如く，上述のように前記ポリゴンミラー１のミラー面は，前記回転軸１ａ周りの回転により，前記ポリゴンミラー１の径方向に出入りする。このように出入りする前記ミラー面に対して斜め方向から前記ビーム光Ｌが入射する（前記断面Ｋに沿って入射しない）ことで，前記ビーム光Ｌが前記ミラー面で反射されるときの前記副走査方向の位置が変化する。このような位置変化は，前記感光体ドラム２各々上における前記ビーム光Ｌの走査路の湾曲，つまりボウの原因となる。
そこで，前記ビーム光Ｌの光路における前記ポリゴンミラー１と前記感光体ドラム２（走査面）との間に設けられた前記走査レンズ９は，前記ポリゴンミラー１の面の出入りにより生じるボウを取り除くことが可能な形状を有する。前記走査レンズ９がレンズ系及び曲率変化レンズの一例である。
【００１７】
図４は，本発明の一実施形態に係る走査光学装置Ｘ１によるボウの除去を説明する概念図である。詳しくは，図４は前記走査光学装置Ｘ１の副走査断面であり，その断面のうち前記ポリゴンミラー１及び前記走査レンズ９を中心とする部分を図示したものである。以下，図４を参照しつつ，本発明の一実施形態に係る走査光学装置Ｘ１によるボウの除去方法について説明する。
尚，以下では，前記ポリゴンミラー１における前記ビーム光Ｌの反射点と前記感光体ドラム２の前記主走査方向の中央部とを結ぶ直線であり，前記ビーム光Ｌの走査範囲を二等分する直線（つまり，前記ビーム光の走査範囲の前記主走査方向に対する中央部を表す直線）を直線Ｓ１−Ｓ１とする（図２参照）。該直線Ｓ１−Ｓ１と前記走査レンズ９との交点が，前記主走査方向において予め定められた中央位置である。
また，図４において，前記走査レンズ９の副走査断面のうち，前記主走査方向における前記走査レンズ９の端部付近の断面を破線で示し，前記主走査方向における前記走査レンズ９の中央部の断面（前記直線Ｓ１−Ｓ１に沿う断面）を実線で示す。同様に，前記主走査方向における前記走査レンズ９の端部付近を通過するビーム光Ｌを点線で示し，前記主走査方向における前記走査レンズ９の中央部を通過する前記ビーム光Ｌを実線で示す。
更に，図４では，各色にそれぞれ対応する４つのビーム光Ｌのうち，特定の１つのビーム光Ｌの光軸のみを図示するものとするが，以下の説明は，４つの前記ビーム光Ｌに対して共通に成立するものである。
【００１８】
ここで，前記走査レンズ９（曲率変化レンズの一例）における前記ビーム光Ｌの入射面９ａ及び出射面９ｂの形状は，以下の数１に示される自由曲面式で表される。
【数１】
2007155803.tif 000003
但し，ｘは前記ビーム光の光軸方向（図３の左右方向）のサグ量，ｙは主走査方向（図４の奥行き方向）の位置（原点は，前記走査レンズ９のレンズ軸の位置），ｚは前記副走査方向の位置（原点は，前記入射面９ａ若しくは出射面９ｂと前記直線Ｓ１−Ｓ１との交点，即ち予め定められた中央位置），ｒｍは前記主走査方向に対する曲率，ｒｓは前記副走査方向に対する（つまり，副走査断面における）曲率，Ｋｍはコーニック係数，Ａ３〜Ａ１０及びＢ１〜Ｂ１０は前記走査光学装置Ｘ１の光学設計時に適宜設定すべき係数である。
図４及び数１に示されるように，前記走査レンズ９（曲率変化レンズの一例）における前記ビーム光Ｌの入射面９ａ及び出射面９ｂは，その副走査断面が一定の曲率ｒｓを有するものであり，つまり球面形状の副走査断面を有するものである。
また，前記入射面９ａ及び出射面９ｂの前記副走査断面における曲率ｒｓは，前記主走査方向の位置に応じて単調変化する。（但し，上記の数１におけるＢ１，Ｂ３が０の場合にのみ単調変化であり，必ずそのような条件が満たされるように前記走査レンズ９の設計を行う）。より詳しくは，前記走査レンズ９の入射面９ａの曲率ｒｓは，前記直線Ｓ１−Ｓ１からの前記主走査方向への距離に対して単調増加である。一方，前記走査レンズ９の出射面９ｂの曲率は，前記直線Ｓ１−Ｓ１からの前記主走査方向への距離に対して単調減少である。もちろん，前記走査レンズ９は前記直線Ｓ１−Ｓ１に対して主走査方向に対称な形状である。尚，前記走査レンズ９（曲率変化レンズ）における前記入射面９ａ及び出射面９ｂの曲率変化は，数１から明らかなように，前記直線Ｓ１−Ｓ１からの前記主走査方向への距離に対する最大１０次（２次若しくはそれ以上の次数）までの変化になっている。
上述のように，前記ビーム光Ｌは前記ポリゴンミラー１の反射面に対する入射角度（前記ポリゴンミラー１による反射後，前記走査レンズ９に入射するときの主走査方向の位置）に応じて，前記ポリゴンミラー１により反射される前記副走査方向の位置が異なる。従って，前記走査レンズ９に対して入射するときの，前記ビーム光Ｌの前記主走査方向の位置に応じて，前記走査レンズ９に入射する前記副走査方向の位置が異なる。例えば，図４の例では，前記走査レンズ９の主走査方向の端部付近の位置に入射する前記ビーム光Ｌ（図４の点線のビーム光）ほど，前記走査レンズ９の上部（副走査方向に対する前記走査レンズ９の一方の端部）に入射する一方，前記直線Ｓ１−Ｓ１付近の前記ビーム光Ｌ（図４の実線のビーム光）ほど，前記走査レンズ９の副走査方向における中央部付近に入射する。
【００１９】
しかし，前記走査レンズ９の入射面９ａの曲率は前記主走査方向の位置に応じて単調に変化しているため，前記主走査方向の位置に応じて前記ビーム光Ｌの屈折方向が異なる。従って，前記走査レンズ９内を通過する前記ビーム光の進行方向は，前記主走査方向の位置に応じて異なる。
このような前記走査レンズ９内における進行方向の相違によって，前記ビーム光Ｌが前記走査レンズ９から出射するときには，任意の前記主走査方向の位置に対して，前記ビーム光Ｌの前記副走査方向の位置が揃えられる。
更に，前記出射面９ｂの曲率も前記主走査方向の位置に応じて単調に変化しており，やはり前記主走査方向の位置に応じて前記ビーム光Ｌの屈折方向が異なる。これにより，前記走査レンズ９の中では前記主走査方向の位置毎に異なっていた前記ビーム光Ｌの進行方向が，前記出射面９ｂからの出射後には揃えられる。
以上のように，前記走査レンズ９を通過後には，前記ビーム光Ｌは任意の主走査方向の位置に対して副走査方向の位置が揃っており，かつ進行方向も揃っている状態にされる。これにより，前記感光体ドラム２の表面における前記ビーム光Ｌの走査路がほぼ直線状に保たれ（ボウが除去され），歪みのない綺麗な静電潜像を形成することができる。
【００２０】
（４）本発明の一実施形態に係る走査光学装置Ｘ１における光学設計の具体例について。
以下の表１〜表１６は，前記走査光学装置Ｘ１の光学設計を規定する各種の定数を表すものである。但し以下の表１〜４，５〜８，９〜１２，１３〜１６は各々一組で前記走査光学装置Ｘ１の光学設計を規定しており，詳しくは，表１〜表４は前記ビーム光Ｌが前記副走査方向に直交する断面Ｋ（図３参照）に対して±１°の角度で前記ポリゴンミラー１に入射する場合（以下，第１の場合という），表５〜表８は前記ビーム光Ｌが±２°の角度で前記ポリゴンミラー１に入射する場合（以下，第２の場合という），表９〜表１２は前記ビーム光Ｌが±３°の角度で前記ポリゴンミラー１に入射する場合（以下，第３の場合という），表１３〜表１６は前記ビーム光Ｌが±４°の角度で前記ポリゴンミラー１に入射する場合（以下，第４の場合という）における前記走査光学装置Ｘ１の光学設定を表している。
但し，以下の表２，４，６，８，１０，１２，１４，１６に示される面番号１〜４は，前記走査レンズ９における前記ビーム光Ｌの入射面９ａ，出射面９ｂ，前記補正レンズ１０における前記ビーム光Ｌの入射面（図には示していないが，入射面１０ａとする），出射面（同様に出射面１０ｂとする）に，それぞれ対応する。また，面間隔番号１〜４は前記入射面９ａと前記出射面９ｂ，前記出射面９ｂと前記入射面１０ａ，前記入射面１０ａと前記出射面１０ｂ，前記出射面１０ｂと前記感光体ドラム２上の走査面と間に，それぞれ対応する。
同様に，表３，表７，表１１，表１５に示される面番号１，２は，前記シリンドリカルレンズ１５における前記ビーム光Ｌの入射面（図には示していないが，入射面１５ａとする），出射面（同様に出射面１５ｂとする）にそれぞれ対応する。また，面間隔番号１，２は前記入射面１５ａと前記出射面１５ｂ，前記出射面１５ｂと前記ポリゴンミラー１における前記ビーム光Ｌの反射面との間に，それぞれ対応する。
尚，表２，表６，表１０，表１４から明らかな如く，上記の数１で示される自由曲面は，前記走査レンズ９における前記入射面９ａ及び前記出射面９ｂのみではなく，前記補正レンズ１０における前記入射面１０ａにも採用されている。
【００２１】
ここで，図６は，前記感光体ドラム２に対する前記ビーム光Ｌの到達点を表す平面図である。詳しくは，図６（ａ）は前記第１の場合における平面図，図６（ｂ）は前記第２の場合における平面図，図６（ｃ）は前記第３の場合における平面図，図６（ｄ）は前記第４の場合における平面図を，それぞれ表している。
ここで，図６に示されるような前記ビーム光Ｌの到達範囲の大きさは，前記感光体ドラム２において発生するボウの大きさとほぼ同義である。従って，前記ビーム光Ｌの到達範囲が絞り込まれているほど，前記ビーム光Ｌの走査路は直線に近く，ボウが小さいことを表している。また，図６（ａ）〜（ｄ）に示される破線の円は，ボウを除去することにより望ましい画像品質を得るための，前記ビーム光の到達範囲の境界を示すものである。つまり，前記ビーム光Ｌが破線の円内に収束する状態は，概ね望ましい画像品質を得るまでにボウが除去されている状態を示している。
【００２２】
【表１】
2007155803.tif 000004
【表２】
2007155803.tif 000005
【表３】
2007155803.tif 000006
【表４】
2007155803.tif 000007
表１〜表４に従って，前記前記走査光学装置Ｘ１を設計する場合（前記第１の場合），言い換えると，前記ビーム光Ｌが前記断面Ｋに対して±１°の角度で前記ポリゴンミラー１に入射する場合，図６（ａ）に示されるように，前記ビーム光Ｌは前記感光体ドラム２上で十分に絞りこまれており，即ちボウは十分に除去されていることが理解できる。
【００２３】
【表５】
2007155803.tif 000008
【表６】
2007155803.tif 000009
【表７】
2007155803.tif 000010
【表８】
2007155803.tif 000011
表５〜表８に従って前記走査光学装置Ｘ１を設計する場合（前記第２の場合），即ち前記ビーム光Ｌが前記断面Ｋに対して±２°の角度で前記ポリゴンミラー１に入射する場合，前記ビーム光Ｌの到達範囲が，上述した破線の円の領域から散逸してしまう寸前の臨界的な状態であり，画像品質を満たすための限界点である。
【００２４】
【表９】
2007155803.tif 000012
【表１０】
2007155803.tif 000013
【表１１】
2007155803.tif 000014
【表１２】
2007155803.tif 000015
【００２５】
【表１３】
2007155803.tif 000016
【表１４】
2007155803.tif 000017
【表１５】
2007155803.tif 000018
【表１６】
2007155803.tif 000019
表９〜表１２に従って前記走査光学装置Ｘ１を設計する場合（前記ビーム光Ｌが前記断面Ｋに対して±３°の角度で前記ポリゴンミラー１に入射，前記第３の場合），及び表１３〜表１６に従って前記走査光学装置Ｘ１を設計する場合（前記ビーム光Ｌが前記断面Ｋに対して±４°の角度で前記ポリゴンミラー１に入射，前記第４の場合）には，図６（ｃ）及び（ｄ）に示される如く，前記ビーム光Ｌの到達範囲が上述した破線の円の領域から散逸してしまっており，ボウが除去しきれておらず，画像品質が満たされていないことが理解できる。
以上から，上述のように前記走査レンズ９に前記ビーム光Ｌが入射する入射面９ａ及び前記出射面９ｂの曲率を主走査方向の位置に応じて単調変化させるという方法で，前記ビーム光Ｌのボウが除去可能となるのは，前記ビーム光Ｌが前記断面Ｋに対して±２°以内の角度で入射する場合であることが理解できる。これ以上の角度で前記ポリゴンミラー１に前記ビーム光Ｌが入射すると，ボウが顕著になりすぎるため，曲率を単調変化させるという方法では，ボウを除去することができない。
【００２６】
（５）走査レンズ９の屈折力について。
ところで，前記走査レンズの入射面９ａ及び前記出射面９ｂは，前記ポリゴンミラー１に対して凹形状になるようにその断面形状の副走査方向に対する曲率が定められている。これにより，前記走査レンズ９は前記副走査方向に負の屈折力を有する。
上述のように，複数の前記ビーム光Ｌ各々は，前記ポリゴンミラー１に入射するが，前記ビーム光Ｌ各々間の入射角度差も小さい（最大で４°）ので，そのままでは前記ビーム光Ｌをそれぞれに対応する感光体ドラム２に導くための分離が困難である。しかし，本実施形態のように，前記副走査方向に負の屈折力を有する前記走査レンズ９を用いることで，前記走査レンズ９を通過後にはビームの方向が広がるので，前記ビーム光Ｌ各々の分離が容易となる。
以上，本発明の一実施形態に係る走査光学装置Ｘ１によれば，ビーム光Ｌのポリゴンミラー１に対する入射角度が２°以内である場合，主走査方向に対して副走査断面の曲率が変化するというだけの単純な（従って，金型加工が簡単な）形状の走査レンズ９（曲率変化レンズ）を用いることで，前記ビーム光の走査路の湾曲を取り除くことができる。つまり，前記ビーム光の走査路を直線状に保つことが可能である。
【実施例】
【００２７】
上述の実施形態では，本発明の一実施形態に係る走査光学装置Ｘ１をプリンタに適用した例について説明したが，本発明の走査光学装置は，複写機，ファクシミリ装置，複合機などの各種画像形成装置に適用することが可能である。
また，上述の実施形態では，走査レンズ９の入射面９ａ及び前記出射面９ｂの両方の曲率が単調変化する例について説明したが，これに限られるものではなく，入射面９ａ及び前記出射面９ｂのいずれか一方の曲率が単調変化する場合であっても，ボウ除去の機能を達成する場合が考えられる。
【図面の簡単な説明】
【００２８】
【図１】本発明の一実施形態に係る走査光学装置を具備するプリンタの概略断面図。
【図２】本発明の一実施形態に係る走査光学装置の主走査断面図。
【図３】本発明の一実施形態に係る走査光学装置のポリゴンミラー付近における副走査断面図。
【図４】本発明の一実施形態に係る走査光学装置によるボウの除去を説明する概念図。
【図５】ビーム光がポリゴンミラーに対して傾いて入射した場合に生じる問題点（ボウの発生）を説明する概念図。
【図６】感光体ドラムに対するビーム光の到達点を表す平面図。
【符号の説明】
【００２９】
Ｘ１…本発明の一実施形態に係る走査光学装置
Ａ…走査光学装置Ｘ１を具備するプリンタ
１…ポリゴンミラー
２…感光体ドラム
３…現像装置
４…中間転写ベルト
５…ローラ
６…定着装置
７…光源
８…偏向ミラー
９…走査レンズ（曲率変化レンズの一例）
１０…補正レンズ
【図１】
2007155803.tif 000020
【図２】
2007155803.tif 000021
【図３】
2007155803.tif 000022
【図４】
2007155803.tif 000023
【図５】
2007155803.tif 000024
【図６】
2007155803.tif 000025